(57)【要約】  本発明は、マイクロプロセッサーを備えた中央制御装置（４）及び処理される身体の異なる部分に適応された可変寸法の脱毛パッチ（８）並びに皮膚上で電解電流を作ることを可能とする接触パッチ（１０）を含む電解脱毛のための装置に関する。前記装置は、中央制御装置（４）のマイクロプロセッサーが脱毛パッチを識別し、使用される脱毛パッチ（８）の寸法に特別に適合した一定量のエネルギーを供給するために使用者により選択された強度に依存する電流の適用時間を自動的に調整することを可能とする、脱毛パッチ（８）を識別するためのシステムを含むことを特徴とする。【選択図】  図３
2008528136.tif 000002
【特許請求の範囲】
【請求項１】
マイクロプロセッサーを備えた中央制御装置（４）及び処理される身体の異なる部分に適応された可変寸法の脱毛パッチ（８）並びに皮膚上で電解電流を作ることを可能とする接触パッチ（１０）を含む電解脱毛のための装置において、前記装置が、中央制御装置（４）のマイクロプロセッサーが脱毛パッチを識別し、使用される脱毛パッチ（８）の寸法に特別に適合した一定量のエネルギーを供給するために使用者により選択された強度に依存する電流の適用時間を自動的に調整することを可能とする、脱毛パッチ（８）を識別するためのシステムを含むことを特徴とする装置。
【請求項２】
精密なスタイレット（９）を更に含むことを特徴とする請求項１に記載の脱毛装置。
【請求項３】
前記精密なスタイレットが複数の交換可能な適用ヘッドを含むことを特徴とする請求項２に記載の脱毛装置。
【請求項４】
中央装置（４）が、使用者が処理される身体の部分を選ぶことを可能とする、モデル上に身体の異なる部分を表示する可視システムを含むことを特徴とする請求項１に記載の脱毛装置。
【請求項５】
可視システムが残りの処理時間を表示するタイマーを含むことを特徴とする請求項４に記載の脱毛装置。
【請求項６】
前記識別装置（５，６，７）が発信回路を含むことを特徴とする請求項１に記載の脱毛装置。
【請求項７】
前記識別装置（５，６，７）がパッチ（８）またはスタイレット（９）の連結部に抵抗器を含むことを特徴とする請求項１に記載の脱毛装置。
【請求項８】
前記識別システムが、認識されるパッチ（８）またはスタイレット（９）内に設けられた抵抗器（５，６，７）並びに中央制御装置上に設けられた一つのコンデンサーを含み、前記中央制御装置（４）のマイクロプロセッサーが、発信回路の周波数を認識し、選ばれたパッチ（８）に与えられた寸法と機能に依存して装置により供給されるエネルギーを調整することを可能とすることを特徴とする請求項１から７のいずれか一つに記載の脱毛装置。
【請求項９】
長期間脱毛のための請求項１に記載の装置の使用。
【発明の詳細な説明】
【技術分野】
【０００１】
本発明は“永久”または“長期間”脱毛装置の分野、特に電解により脱毛するための装置に関する。
【背景技術】
【０００２】
電解による脱毛は当業者には周知である。この技術は殆ど知覚できない直流を毛包のベースに伝達することからなり、それは毛に栄養補給する真皮乳頭の中和を起こし、その再成長をきびしく制限する。この形式の脱毛装置は、目に見える毛のみならず、“長期間”または更には“永久”脱毛を提供するために毛根にも向けられる。
【０００３】
毛包と呼ばれるポケット内で毛は成長する。場所に依存して、毛包の密度は脚に対する約６０毛包／ｃｍ２から口ひげに対する５００毛包／ｃｍ２までの間で変化する。
【０００４】
毛は周期的に成長する：成長段階時（または成長期）に毛は真皮乳頭により栄養補給され、次いでそれは遷移段階（または退行期）に入り、最後に休止状態（または休止期）に入り、そのとき毛は成長しない。なぜなら毛は真皮乳頭から分離され、抜け落ちるからである。その後、毛包は再度、真皮乳頭と接触し、新しい周期が再開される。毛は毛包のベースから皮膚の表面まで、従って目に見えるまで成長するために約３週間必要とする。言い換えれば、成長を開始する毛は３週間後にのみ目に見えるであろう。
【０００５】
毛が皮膚の表面に現れたときから、その成長期間は更に別のほぼ１３週間続く。有効な美容処理のためには、毛は成長期（すなわち真皮乳頭がまだ活性であるとき）に処理される必要があり；それが毛の成長工程を実際に停止するための必須条件である。
【０００６】
更に、毛は重複周期で成長する：同じ場所内で、幾つかの毛は成長段階（成長期）にあり、幾つかの他の毛は休止状態（休止期）にあり；これが、最初の結果が脱毛される身体の部分への本発明による装置の適用の数週間後でのみ得られる理由である。
【０００７】
電解による永久または長期間脱毛のための装置または何らかの関係する方法は特に特許ＵＳ−６０／３９７４０６により開示されており、それは皮膚に貼り付けられたパッチに電流を伝達する発電機を記載する。文献ＤＥ  ３４２６１４１及びＵＳ  ５５３４００３はまた、同じ原理に基づいた発明を記載する。
【０００８】
文献ＵＳ  ５５２２８１４は高周波脱毛法を記載する。
【０００９】
文献ＦＲ−２６８０９６５は長期間脱毛を目的とした美容皮膚処理のための装置及び方法を記載し、それは処理化合物を充填された伝導ゲルにより皮膚を通して高周波電磁流を誘導することからなり、この電磁流がこの化合物を皮膚の汗孔に浸透させる。
【００１０】
文献ＦＲ−２５９５２３９は皮膚に適用されることができる同調波のバッチに断続された高周波電流を発生する高周波発電機を含む永久脱毛装置を開示する。
【００１１】
従来技術で既知の全ての装置で出くわす問題は、使用者自身が強度と持続時間の両方、従って電解電流のエネルギーの適用を選ぶことができるということにある。供給されるエネルギーは、処理される身体の表面の寸法及びそれらの敏感さに適応されなければならない。これはこの形式の装置の不適切な使用を導くことが多く、恐らく皮膚の炎症を導く。
【００１２】
文献ＵＳ２００４／００３９４０３Ａ１は独立して供給されたパッチを持つ低周波電解の原理に基づく電池作動脱毛器を開示する。
【００１３】
文献ＵＳ  ５９０６６１４は心臓組織にエネルギーを伝達するカテーテルに基づきかつ正確な温度プローブを備えたエネルギー要素による心臓組織の切除のためのシステムを開示する。このシステムは切除カテーテルの水準で温度を制御するための装置を含み、それは極めて複雑であり、皮膚に貼り付けられた脱毛パッチを管理かつ認識するために不適当である。
【００１４】
従って、使用されるパッチの表面に依存して正確かつ一定であるエネルギー量を与えることができる装置を提案することによりこの問題を解決することが必要であり、そして、所定の場所に与えられるエネルギーの正確かつ一定量の投与を可能とするために異なる寸法のパッチを識別することができる装置を開発する必要があった。
【発明の開示】
【発明が解決しようとする課題】
【００１５】
本発明は、電解により脱毛するための装置であって、マイクロプロセッサーを備えた中央制御装置と、識別されたパッチに対して一定量のエネルギーを適用するように正確な時間、正確な電流強度を適用することができる一組の（脱毛及び接触）パッチとを含む装置を提供することを目的とする。これを達成するために、本発明は、使用の各形式毎に目標とした量の適用を可能とする、パッチを認識するためのシステムを提案する。
【課題を解決するための手段】
【００１６】
本発明は、マイクロプロセッサーを備えた中央制御装置及び処理される身体の異なる部分に適応された可変寸法の脱毛パッチ並びに皮膚上で電解電流を作ることを可能とする接触パッチを含む電解脱毛のための装置において、前記装置が、中央制御装置のマイクロプロセッサーが脱毛パッチを識別し、使用される脱毛パッチの寸法に特別に適合した一定量のエネルギーを供給するために使用者により選択された強度に依存する電流の適用時間を調整することを可能とする、脱毛パッチを識別するためのシステムを含むことを特徴とする装置を開示する。
【００１７】
本出願の特別な実施態様によれば、本発明は次の特徴の一つまたは幾つかを含む：
−  脱毛装置は精密なスタイレットを更に含む、
−  前記精密なスタイレットは複数の交換可能な適用ヘッドを含む、
−  中央装置は、使用者が処理される部分を選ぶことを可能とする、身体の異なる部分の表示を持つ可視システムを含む、
−  この可視システムは残りの処理時間を表示するタイマーを含む、
−  前記識別装置（５，６，７）は発信回路を含む、
−  前記識別装置（５，６，７）はパッチ（８）またはスタイレットの連結部に抵抗器を含む、
−  前記識別システムは、認識されるパッチ（８）上にまたはスタイレット（９）上に設けられた抵抗器（５，６，７）並びに中央制御装置上に設けられたコンデンサーを含み、前記中央制御装置（４）のマイクロプロセッサーは、発信回路の周波数を認識し、選ばれたパッチ（８）に与えられた寸法と機能に依存して装置により供給されるエネルギーを調整することを可能とする。
【００１８】
本発明はまた、長期間脱毛のための請求項１に記載の装置の使用を開示する。
【００１９】
図面の簡略説明
図１は中央制御装置上のパッチの接続レイアウトを示す。
【００２０】
図２は中央制御装置上の精密スタイレットの接続レイアウトを示す。
【００２１】
図３は中央制御装置、そのパッチ及び精密スタイレットを持つ装置全体の図を示す。
【発明を実施するための最良の形態】
【００２２】
電解脱毛のための装置はマイクロプロセッサーを備えた中央制御装置４、適用場所（顔、脚、敏感領域）に適応した異なる寸法の種々のパッチ８及び回路を閉じかつ皮膚により電解電流を伝達させる接触パッチ１０を含む。この装置はまた、幾つかの交換可能なヘッドを持つ精密スタイレット９を含む。
【００２３】
本発明の電解脱毛装置はパッチを識別するための自動装置を備えている。従って、中央制御装置４は接続されるパッチ８またはスタイレット９を“認識”し、処理される場所はこの装置４のスクリーン上のモデル上に表示されるであろう。中央制御装置４は皮膚の敏感性に依存して電流の強度を調整することができる。そのとき本発明の装置は処理時間を自動的に適応するであろう。中央装置４は処理の残り時間をスクリーン上に表示するタイマーを含む。
【００２４】
使用されるパッチ８またはスタイレット９を識別するために、それらの接続部は電気抵抗器（５，６，７）を備えており、それは装置が発信回路によりどの形式のパッチが使用されているかを検出することを可能にする（図１及び２）。
【００２５】
回路は、認識されるパッチまたはスタイレット内に設けられた抵抗器（５，６，７）及び中央制御装置上に設けられたコンデンサーを含む。この装置４のマイクロプロセッサーは発信回路の周波数を認識し、選ばれたパッチ８に与えられた寸法と機能に依存して装置により供給されるエネルギーを適応させる。
【００２６】
中央装置４へのパッチ８の接続レイアウトは図１に示される。発信回路の周波数を認識しかつ供給されるエネルギーを調整するために、二つの電線２及び３は発信回路を閉じるようにパッチ８またはスタイレット９に（図２参照）接続される。線３は使用者の皮膚と接触パッチ１０を介して回路を閉じるために使用される。一定エネルギーを使用者に供給するために、マイクロプロセッサーは使用者により選ばれた電流強度に依存して時間を調整する。このようにして、処理期間中に使用者に起因する強度にどんな変化があっても、作動期間に渡る電流の合計量は一定のままであり、従って装置は各形式のパッチに対し一定量のエネルギーを供給する。
【００２７】
この形式の装置の使用者は通常、それらの皮膚に適用されるミリアンペア数に関して非常に異なる感度レベルを持つ。これはだれもが自分自身の快適レベルに電流の強度を調整する理由である。そのとき制御装置４が時間を管理する。
【００２８】
次の表はパッチを認識させる異なる抵抗器の幾つかの例を示す。
2008528136.tif 000003
各作動モードにおいて、電流の強度×時間は一定である。
2008528136.tif 000004
【００２９】
このように、このシステムは選ばれた強度がどうであれ供給エネルギーの制御により常に同じエネルギー量を供給することができ、この量はパッチ識別システムにより接続されたパッチ及び適用される時間の調整に依存して規定される。
【００３０】
精密スタイレット９は精密な場所を処理するために使用され、それは処理される場所に依存して四つの異なるヘッドを備えることができる：広いヘッドは口ひげのために使用され、微細ヘッドは孤立した毛のために使用される。伝導ゲルの使用は精密スタイレットの伝導性またはパッチの伝導性を改善することができる。
【図面の簡単な説明】
【００３１】
【図１】中央制御装置上のパッチの接続レイアウトを示す。
【図２】中央制御装置上の精密スタイレットの接続レイアウトを示す。
【図３】中央制御装置、そのパッチ及び精密スタイレットを持つ装置全体の図を示す。
【符号の説明】
【００３２】
１      接触パッチに接続された線
２      発信回路の抵抗器に接続された線
３      電解脱毛のためのパッチに接続された検出線
４      中央制御装置
５，６，７      伝達ソケット（認識抵抗器）
８      電解脱毛のためのパッチ
９      精密スタイレット
１０    回路を閉じる接触パッチ
【図１】
2008528136.tif 000005
【図２】
2008528136.tif 000006
【図３】
2008528136.tif 000007
【国際調査報告】
2008528136.tif 000008
2008528136.tif 000009
2008528136.tif 000010
2008528136.tif 000011
2008528136.tif 000012
2008528136.tif 000013